(57)【要約】【課題】情報用配線器具本体を可動な電力用配線器具本体とともに可動に取り付けることによるリード線の断線等が起こらない上下動型床用配線器具を提供する。【解決手段】開口部１０を有し床面に配設される取付プレート１と、取付プレート１に上下動可能なよう配設されて開口部１０を開閉する蓋部２と、蓋部２に連設されて取付プレート１の開口部１０を上下動する器具保持部３と、器具保持部３に保持される電力用配線器具本体４ａと、取付プレート１下方に固定されて電力用配線器具本体４ａとリード線８で接続される端子台９と、を備えた上下動型床用配線器具である。取付プレート１に電力用配線器具本体４ａとは異なる情報用配線器具本体４ｂを非可動状態に配設した。【選択図】        図１
2004187363.tif 000002
【特許請求の範囲】
【請求項１】
開口部を有し床面に配設される取付プレートと、取付プレートに上下動可能なよう配設されて開口部を開閉する蓋部と、蓋部に連設されて取付プレートの開口部を上下動する器具保持部と、器具保持部に保持される電力用配線器具本体と、取付プレート下方に固定されて電力用配線器具本体とリード線で接続される端子台と、を備えた上下動型床用配線器具において、取付プレートに電力用配線器具本体とは異なる情報用配線器具本体を非可動状態に配設してなることを特徴とする上下動型床用配線器具。
【請求項２】
取付プレートの開口部近傍に情報用配線器具本体の取付部を設けるとともに、前記開口部及び取付部を覆うように蓋部を設けてなることを特徴とする請求項１記載の上下動型床用配線器具。
【請求項３】
取付プレートに凹段部を設けて該凹段部に開口部及び取付部を形成し、情報用配線器具本体をその上面が凹段部の底面と略面一となるよう取付部に配設するとともに、蓋部を取付プレートの凹段部に嵌合して上面が略面一となるよう設けてなることを特徴とする請求項１又は２記載の上下動型床用配線器具。
【発明の詳細な説明】
【０００１】
【発明の属する技術分野】
本発明は、床面の収納用凹部に配設され、使用時に配線器具本体が床上に突出し、不使用時に配線器具本体が床下に収納可能な上下動型床用配線器具に関するものである。
【０００２】
【従来の技術】
従来より、使用時にコンセント等からなる配線器具本体４’が床上に突出するとともに、不使用時に配線器具本体４’を床下に収納可能な上下動型床用配線器具が用いられている（例えば特許文献１乃至６参照）。この従来の上下動型床用配線器具は、図１０に示すように、開口部１０’を有する取付プレート１’と、取付プレート１’の開口部１０’を開閉する蓋部２’と、蓋部２’とともに上下動する器具保持部３’とで主体が構成される。
【０００３】
取付プレート１’は、床面に凹設された収納用凹部の周縁の床上面に載置固定され、中央部に収納用凹部と床上とを連通する開口部１０’が形成してある。蓋部２’は、取付プレート１’の開口部１０’を閉塞可能な板状のもので、その一端部を取付プレート１’の一端側に軸支するとともに他端部を自由端２０’として回動自在としてあって、取付プレート１’の上側に蓋部２’が上下動自在となるようにして開口部１０’を開閉するものである。
【０００４】
蓋部２’の下面側には、器具保持部３’が固定される。器具保持部３’は、コンセント等の配線器具本体４’を保持可能なように枠状等に形成されるものであるが、形状としては様々なものがある。この器具保持部３’には、配線器具本体４’の差込面４０’が蓋部２’の自由端２０’付近から下側に該蓋部２’とほぼ直交する状態となるように固定される。
【０００５】
この従来の上下動型床用配線器具は、使用時には、蓋部２’を上動させることで蓋部２’の下面側に器具保持部３’を介して取り付けてある配線器具本体４’の差込面４０’を床上に突出させ、プラグ等の接続部を差し込んで配線器具本体４’を使用するものである。また、不使用時には、蓋部２’を下動させて取付プレート１’の開口部１０’を閉塞するとともに、配線器具本体４’を床下の収納用凹部に収納するものである。
【０００６】
ところで、配線器具本体４’としては、コンセント等の電力用配線器具本体４ａ’と、モジュラジャック等の情報用配線器具本体４ｂ’とがあり、この両方を器具保持部３’に固定した上下動型床用配線器具がある。
【０００７】
しかしながら、この従来のものにあっては、電力用については可動する電力用配線器具本体４ａ’に接続された端子台が動かないように固定されていて、蓋部２’の開閉が繰り返されても端子部には開閉による外力がかからない構造となっているものの、情報用については、情報用配線器具本体４ｂ’は端子部に直接リード線を差し込む構造となっているため、カバーを開閉すると力が直接端子部に伝わってしまって品質の安定性が保証できないうえに、リード線の配線の仕方によってはリード線が可動部材と固定部材の隙間に挟み込まれて断線する危険性があった。
【０００８】
【特許文献１】
実用新案登録第２５３２４３７号公報
【特許文献２】
特許第２８４２１３４号公報
【特許文献３】
特公平５−５４２２７号公報
【特許文献４】
特公平１−４０５７９号公報
【特許文献５】
特公平１−４０５８０号公報
【特許文献６】
特公昭６３−６４１２５号公報
【０００９】
【発明が解決しようとする課題】
本発明は上記の点に鑑みてなされたものであり、その目的とするところは、情報用配線器具本体を可動な電力用配線器具本体とともに可動に取り付けることによるリード線の断線等が起こらない上下動型床用配線器具を提供することを課題とするものである。
【００１０】
【課題を解決するための手段】
上記課題を解決するために本発明に係る上下動型床用配線器具は、開口部１０を有し床面に配設される取付プレート１と、取付プレート１に上下動可能なよう配設されて開口部１０を開閉する蓋部２と、蓋部２に連設されて取付プレート１の開口部１０を上下動する器具保持部３と、器具保持部３に保持される電力用配線器具本体４ａと、取付プレート１下方に固定されて電力用配線器具本体４ａとリード線８で接続される端子台９と、を備えた上下動型床用配線器具において、取付プレート１に電力用配線器具本体４ａとは異なる情報用配線器具本体４ｂを非可動状態に配設してなることを特徴とするものである。このような構成とすることで、情報用配線器具本体４ｂが蓋部２と連動することによる情報用配線器具本体４ｂのリード線や情報用配線器具本体４ｂ自体の破損を防止することができる。
【００１１】
また、取付プレート１の開口部１０近傍に情報用配線器具本体４ｂの取付部１２を設けるとともに、前記開口部１０及び取付部１２を覆うように蓋部２を設けることが好ましい。このような構成とすることで、開口部１０を閉塞するための蓋部２にて取付部１２及び情報用配線器具本体４ｂをも覆うことができる。
【００１２】
また、取付プレート１に凹段部１１を設けて該凹段部１１に開口部１０及び取付部１２を形成し、情報用配線器具本体４ｂをその上面が凹段部１１の底面と略面一となるよう取付部１２に配設するとともに、蓋部２を取付プレート１の凹段部１１に嵌合して上面１ａ，２ａが略面一となるよう設けることが好ましい。このような構成とすることで、蓋部２が高さ方向において取付プレート１内に収納されることとなって厚みが薄くてすむとともに、蓋部２を開いた時及び閉じた時のどちらの場合でも美観が維持できる。
【００１３】
【発明の実施の形態】
以下、本発明を添付図面に示す実施形態に基づいて説明する。
【００１４】
本発明の上下動型床用配線器具は、図１に示すように、開口部１０を有する取付プレート１と、取付プレート１の開口部１０を開閉する蓋部２と、蓋部２とともに上下動する器具保持部３と、器具保持部３に取り付けられる配線器具本体４とで構成される。
【００１５】
取付プレート１は、図３に示すように、中央部に矩形状の開口部１０が形成される枠状のもので、本実施形態では、略正方形状をした板部材の中央部に矩形状の凹段部１１を凹設し、この凹段部１１の一端辺から小幅の部分を後述する情報用配線器具本体４ｂの取付部１２として残すとともに、凹段部１１の前記取付部１２以外の部分を開口して開口部１０を形成してある（図１参照）。この取付プレート１は、床面に凹設された収納用凹部の周縁の床上面に載置されて固定され、このとき開口部１０を介して収納用凹部と床上とが連通される。取付プレート１には、蓋部２と器具保持部３とが配設される。
【００１６】
蓋部２は、図１に示すように、取付プレート１の開口部１０を閉塞可能なように平面視において前記開口部１０とほぼ同じかそれより若干大きく形成される板状のもので、本実施形態では上述した凹段部１１（即ち開口部１０と情報用配線器具本体４ｂの取付部１２とを合わせた部分）と同じ形状に形成してあり、凹段部１１に嵌入した時に蓋部２の表面２ａ（即ち開口部１０を閉塞した時の上面）と取付プレート１の上面１ａとが面一となるように形成してあり、蓋部２が高さ方向において取付プレート１内に収納されることとなって厚みが薄くてすむとともに、美観が維持できる。蓋部２及び取付プレート１は、配線器具の不使用時には床面の一部となるため、床面として耐え得る強度を有するように形成されるもので、材質は金属、合成樹脂、木材等特に限定されない。
【００１７】
蓋部２には、対向する一対の端辺からそれぞれ側片２１が垂下してあり、この側片２１には後述する被係合部としての長孔５１が形成される。この蓋部２は、一端部が取付プレート１の一端側に軸支されるとともに、他端部が自由端２０として取付プレート１の他端側より上側に上下動自在となって（即ち軸支された部分を中心として回動自在となって）、蓋部２が上下動することで取付プレート１の開口部１０を開閉するものである。更に詳述すると、蓋部２は、取付プレート１の開口部１０の上記情報用配線器具本体４ｂの取付部１２が形成される端辺と隣接して直交する一端辺側に軸支される。蓋部２から垂下される側片２１は、開口部１０の情報用配線器具本体４ｂの取付部１２が形成される側の端辺とこれに対向する端辺とに対応する端辺からそれぞれ連設してあり、この両側片２１において軸支される側の側端部から軸支用片２３を側方に延設するとともに、この軸支用片２３に軸部２４を突設してある。一方、取付プレート１には、前記軸部２４に対応する部分（即ち蓋部２の一端部を軸支する側の端部）に軸受片１３を垂下するとともに、この軸受片１３に軸受孔１４を穿設してあり、蓋部２の軸部２４を取付プレート１の軸受孔１４に嵌入して回動自在に軸支してある。
【００１８】
このように蓋部２は、自由端２０を下動すると取付プレート１の凹段部１１に嵌まり込んで開口部１０を閉塞し、自由端２０を上動すると開口部１０が開口されるようになっている。蓋部２には、自由端２０に取付プレート１の開口部１０の縁部に係止可能な係止爪２２が設けてあり、一方、取付プレート１の前記係止爪２２に対応する部分には開口部１０内に向けて突没可能な係止片（図示せず）が操作部１７にて突没されるように形成してあり、蓋部２で開口部１０を閉塞した状態でロックすることができる。また、蓋部２は、図７の符号１８に示すばねにて上方に回動する向きに付勢してあり、操作部１７にて係止爪２２による係止を解除することで蓋部２及び器具保持部３が自動で開くようになっている。なお、このばね１８を設けずに手動で蓋部２を回動させてもよい。
【００１９】
配線器具本体４は、図１等に示すように、器具保持部３を介して取付プレート１に配設されるもので、コンセント等の電力用配線器具本体４ａと、モジュラジャック等の情報用配線器具本体４ｂとがある。電力用配線器具本体４ａは、栓刃が突出したプラグ６が差し込まれるコンセント４ａ１（図８参照）や、ソケットが差し込まれるコンセント４ａ２（図９参照）等特に限定されず、また、スイッチ４１が付加されていてもよい（図８参照）。なお、図２及び図７中の８は電力用配線器具本体４ａのリード線を示し、９は前記リード線８が接続される端子台を示す。情報用配線器具本体４ｂは、情報用器具保持部７３を介して取付プレート１の取付部１２に取り付けられる。以下にまず、情報用配線器具本体４ｂ及び情報用器具保持部７３について説明する。
【００２０】
情報用配線器具本体４ｂは、図２に示すように、取付プレート１の凹段部１１に形成した取付部１２に情報用器具保持部７３を介して取り付けられる。情報用器具保持部７３は、図４に示すように、上方に開口する略コ字状をした本体７１と、本体７１の両方の上端部から外側に連設される取付鍔部７２とからなり、本体７１の底部には情報用配線器具本体４ｂが取り付けられる開口部７３が形成してある。この情報用器具保持部７３は、取付鍔部７２に穿設してある固着孔を介してねじ等の固着具７５にて取付プレート１の凹段部１１に形成した取付部１２の下面側に取り付けられ、情報用配線器具本体４ｂの差込面を取付プレート１の開口部１０より露出させるものである。
【００２１】
情報用配線器具本体４ｂとしては、モジュラジャック接続部４ｂ１（図５（ａ）参照）や、ＢＮＣケーブル等の接続部４ｂ２（図５（ｂ）参照）など特に限定されず、様々なものが付け替え自在に取り付けてある。
【００２２】
情報用配線器具本体４ｂは、その差込面が電力用配線器具本体４ａの差込面４０ほど大きくなく、電力用配線器具本体４ａのように収納時の上下方向の厚みを薄くすべく可動とする必要がないため、このように、取付プレート１に固定して非可動とすることで、情報用配線器具本体４ｂが蓋部２と連動することによる情報用配線器具本体４ｂのリード線や情報用配線器具本体４ｂ自体の破損を防止することができる。
【００２３】
次に、電力用配線器具本体４ａを配設するための器具保持部３について説明する。
【００２４】
器具保持部３は、図１に示すように、蓋部２とは別体に形成され、中央部にコンセント等の電力用配線器具本体４ａを保持するもので、形状は板状のものやロ字形等をした枠状のもの等、特に限定されない。電力用配線器具本体４ａは器具保持部３内に嵌まり込み、差込面４０が上向きに露出可能となる。そして器具保持部３は、一端部を取付プレート１の上記蓋部２の自由端２０が配設される側に軸支するとともに、他端部を取付プレート１の上記蓋部２が軸支される側に自由端２０として配設するものである。更に詳述すると、器具保持部３には、蓋部２の自由端２０が配設される側の端辺部の両側に軸部（特に図示せず）が突設してあり、一方、取付プレート１には、前記器具保持部３に突設した軸部に対応する部分に軸受片（特に図示せず）を垂下するとともに、この軸受片に軸受孔（特に図示せず）を穿設してあって、蓋部２と同様にして器具保持部３の軸部を取付プレート１の前記軸受孔に嵌入して回動自在に軸支したものである。
【００２５】
このように、蓋部２と器具保持部３は、取付プレート１の対向する端部にそれぞれ軸支されて上下動自在となっているが、蓋部２と器具保持部３の上下動は連動手段５によって連動するもので、以下に説明する。
【００２６】
連動手段５は、蓋部２と器具保持部３のうち、一方に被係合部を設けるとともに、他方に被係合部内に摺動自在に係合されて被係合部側の変位に応じて所定位置に位置決めされる係合部を設けて構成するもので、本実施形態では、図１に示すように、被係合部として長孔５１を形成するとともに、係合部として長孔５１内を摺動する突部５２を形成してある。
【００２７】
被係合部としての長孔５１は、図６，図７に示すように、蓋部２の側片２１にそれぞれ形成してあり、蓋部２の表面２ａとほぼ平行となる直線状の誘導部５１ａと、誘導部５１ａから連設される位置決め部５１ｂとからなる。誘導部５１ａは、側片２１の軸支側の端部近傍から自由端２０側に向けて形成されるもので、本実施形態では自由端２０側の端部は側片２１の略中間部に位置している。また、位置決め部５１ｂは、誘導部５１ａから下側（即ち、蓋部２の表面２ａから離れる側）に連設されるもので、本実施形態では誘導部５１ａの自由端２０側の端部から軸支側の斜め下方に向けて連設される。一方、係合部としての突部５２は、器具保持部３の自由端３０側の端辺の両側に突設してあり、この突部５２が蓋部２の長孔５１にそれぞれ挿入してある。
【００２８】
連動手段５による動作について説明する。図２または図７（ｃ）に示すように、蓋部２が下動した状態では、器具保持部３の突部５２は長孔５１の誘導部５１ａの軸支されている側の端部近傍に位置することとなって、器具保持部３の突部５２が設けてある自由端３０は下動されて蓋部２の下側に収納され、器具保持部３に取り付けられた電力用配線器具本体４ａの差込面４０が上向きに略水平となる（以下、この状態を収納状態とする）。
【００２９】
次に、上記収納状態から図７（ｂ）に示すように蓋部２を上動していくと、蓋部２の変位に伴って長孔５１も軸支部分を中心に自由端２０側の端部が上方に回動して変位していく。このとき、長孔５１内に挿入されている器具保持部３の突部５２は長孔５１によって押し上げられることとなって、長孔５１の変位に応じてその内部での突部５２の係合位置が位置決めされる。
【００３０】
そして、図７（ａ）に示すように蓋部２を所定の位置まで変位させたとき、器具保持部３の突部５２は長孔５１の誘導部５１ａの自由端２０側の端部にまで移動し、器具保持部３の自重によって位置決め部５１ｂへと下降する。蓋部２の回動は突部５２が位置決め部５１ｂの側壁に当接して規制され、この状態（即ち使用状態）にて蓋部２及び器具保持部３が保持される。この使用状態では、図７（ａ）に示すように器具保持部３に取り付けられた電力用配線器具本体４ａの差込面４０が斜め上方を向くため、プラグ６を差し込み難い机の下等に設置された場合でも、差込面４０が見えて差し込み易く、床上にこぼれた水分等が配線器具に浸入し難いとともに、位置決め部５１ｂを誘導部５１ａから下側に向けて連設してあるため、プラグ６の差込面４０への差し込み方向が位置決め部５１ｂの連設方向と同じとなり、プラグ６を差込面４０に差し込む際に電力用配線器具本体４ａに下向きの差し込み力が加わっても突部５２が位置決め部５１ｂの底部にて支持されて器具保持部３が下方に押し下げられてしまうことがなく、プラグ６の差し込みがし易いとともに、プラグ６の差し込み方向への不測の力が加わっても破損し難い。また、器具保持部３の支持が器具保持部３の軸支部分と係合部及び被係合部の係合部分とで行われるため、器具保持部３の軸支部分に力が集中せず分散させることができて、一層破損し難くすることができる。
【００３１】
また、本実施形態では、誘導部５１ａの自由端２０側の端部を側片２１の略中間部に位置させているため、差込面４０の上方を蓋部２の上半部が覆う状態となって、プラグ６や配線器具本体４が上方から踏み付けられるのを防止してプラグ６、配線器具本体４を保護することができる。
【００３２】
更に本実施形態では、図６に示すように、長孔５１の位置決め部５１ｂに係止部５３が設けてある。係止部５３は、長孔５１の誘導部５１ａから位置決め部５１ｂへと落下した突部５２が容易に誘導部５１ａへ戻されてしまうことがないように、位置決め部５１ｂの下端部から蓋部２の軸支側に切欠して形成してある。このようにすることで、使用状態において蓋部２と器具保持部３とがともに自重で下動しようとする際に突部５２が係止部５３に嵌まり込んで係止されて（図６（ａ）参照）、使用状態を確実に保持することができる。また、床上の歩行者が蓋部２を踏み付けたり蹴躓いたりして蓋部２の表面２ａに下方側への力が加わっても使用状態が解除されるのを防止することができるとともに、前記のように力が加わった場合でもプラグ６や配線器具本体４が破壊されるのを防止できて安全性を確保することができる。また、電力用配線器具本体４ａにスイッチ４１が付加してあるものにあってはスイッチ４１が誤ってＯＮ、ＯＦＦされるのを防止できる。
【００３３】
使用状態から収納状態とするには、蓋部２と器具保持部３とを手で掴んで係止部５３に係止されている突部５２を位置決め部５１ｂを介して誘導部５１ａへと戻し、蓋部２を下動すると突部５２が誘導部５１ａにて誘導されて器具保持部３も連動して下動し、配線器具本体４が床面の収納用凹部に収納されることとなる。このとき、蓋部２と器具保持部３とは係合部及び被係合部にて係合された状態で連動しているため、蓋部２を下動するだけて器具保持部３が下動されて操作が容易である。
【００３４】
上述したように、蓋部２と器具保持部３とが連動手段５によって連動するため、配線器具本体４の収納時において、器具保持部３が蓋部２の下側に略水平に位置することとなって、器具保持部３に取り付けられる電力用配線器具本体４ａがその差込面４０が上向きに略水平となって収納されるため、差込面４０の上下長さｈが長い場合でも従来例のように差込面４０の下端部が床下深くに位置することがなく、床下深さは電力用配線器具本体４ａの差込面４０から裏面側の厚みに依存するのみとなり、スラブ高さの低い床スラブであっても従来より浅い収納用凹部を設けるだけで上下動型床用配線器具を配設することが可能となり、本発明においては特に、被係合部及び、該被係合部内に摺動自在に係合されて被係合部側の変位に応じて所定位置に位置決めされる係合部にて連動手段を構成してあるため、操作が容易となるとともに、使用状態を堅固に保持することができて且つ破損し難い。
【００３５】
【発明の効果】
上記のように本発明の請求項１記載の発明にあっては、開口部を有し床面に配設される取付プレートと、取付プレートに上下動可能なよう配設されて開口部を開閉する蓋部と、蓋部に連設されて取付プレートの開口部を上下動する器具保持部と、器具保持部に保持される電力用配線器具本体と、取付プレート下方に固定されて電力用配線器具本体とリード線で接続される端子台と、を備えた上下動型床用配線器具において、取付プレートに電力用配線器具本体とは異なる情報用配線器具本体を非可動状態に配設したので、情報用配線器具本体が蓋部と連動することによる情報用配線器具本体のリード線や情報用配線器具本体自体の破損を防止することができる。
【００３６】
また請求項２記載の発明にあっては、上記請求項１記載の発明の効果に加えて、取付プレートの開口部近傍に情報用配線器具本体の取付部を設けるとともに、前記開口部及び取付部を覆うように蓋部を設けたので、開口部を閉塞するための蓋部にて取付部及び情報用配線器具本体をも覆うことができる。
【００３７】
また請求項３記載の発明にあっては、上記請求項１又は２記載の発明の効果に加えて、取付プレートに凹段部を設けて該凹段部に開口部及び取付部を形成し、情報用配線器具本体をその上面が凹段部の底面と略面一となるよう取付部に配設するとともに、蓋部を取付プレートの凹段部に嵌合して上面が略面一となるよう設けたので、蓋部が高さ方向において取付プレート内に収納されることとなって厚みが薄くてすむとともに、蓋部を開いた時及び閉じた時のどちらの場合でも美観が維持できる。
【図面の簡単な説明】
【図１】本発明の一実施形態の使用状態における斜視図である。
【図２】同上の実施形態の不使用（収納）状態を示し、（ａ）は蓋部を透視した平面図であり、（ｂ）は側面図である。
【図３】同上の斜視図である。
【図４】情報用器具保持部を示し、（ａ）は側面図であり、（ｂ）は平面図であり、（ｃ）は正面図である。
【図５】（ａ）（ｂ）は同上の実施形態において情報用配線器具本体を取り付けた状態を説明する要部拡大図である。
【図６】（ａ）（ｂ）は同上の実施形態において突部が挿入された長孔の斜視図である。
【図７】（ａ）（ｂ）（ｃ）は同上の実施形態における蓋部と器具保持部の開閉を説明する側面図である。
【図８】（ａ）（ｂ）は同上の実施形態においてプラグの差込状態を説明する斜視図である。
【図９】同上の実施形態において他の電力用配線器具本体を取り付けた例の斜視図である。
【図１０】従来の上下動型床用配線器具を示し、（ａ）は斜視図であり、（ｂ）は側面図である。
【符号の説明】
１    取付プレート
１０  開口部
２    蓋部
３    器具保持部
４ａ  電力用配線器具本体
４ｂ  情報用配線器具本体
８    リード線
９    端子台
【図１】
2004187363.tif 000003
【図２】
2004187363.tif 000004
【図３】
2004187363.tif 000005
【図４】
2004187363.tif 000006
【図５】
2004187363.tif 000007
【図６】
2004187363.tif 000008
【図７】
2004187363.tif 000009
【図８】
2004187363.tif 000010
【図９】
2004187363.tif 000011
【図１０】
2004187363.tif 000012